(57)【要約】【課題】ねじ込み式口金を有するランプの締め込み完了を音により確認することを可能とし、ランプをソケット本体に確実に装着する。【解決手段】ランプソケット１は、ソケット本体２と、ソケット本体２内に設けられ、接点を有する、ランプ口金２１の先端端子２２と接触する接点板ばね部材５と、接点板ばね部材５と接触される固定接点部材６とを備える。接点板ばね部材５は先端端子２２に押圧されて回動する可動片部５２と、可動片部５２から分岐された付勢片部５４とを有する。付勢片部５４は可動片部５２が回動されるに伴いその姿勢が変化してデッドポイントを越えたとき、スナップアクション動作により可動片部５２を固定接点部材６に付勢し、固定接点部材６に向けて回動させ衝突させて接触音を発生させる。これにより、ねじ込み式口金を有するランプの締め込み完了を音により確認することを可能とし、ランプをソケット本体に確実に装着することができる。【選択図】図５
2010176921.tif 000002
【特許請求の範囲】
【請求項１】
ソケット本体と、ランプ口金がソケット本体の開口より挿入され回転されることにより係合される受け金と、前記ランプ口金が前記受け金に係合されたとき該ランプ口金の先端端子が押圧して接触される接点と、を備えたランプソケットにおいて、
前記接点は、ランプ口金の先端端子と接触される接点板ばね部材と、この接点板ばね部材と接触される固定接点部材とを備え、
前記接点板ばね部材は、ソケット本体に固定された支点部と、前記ランプ口金の先端端子の押圧により回動される可動片部と、この可動片部の先端部とソケット本体側との間に湾曲した状態で配設されて該可動片部の回動時にスナップアクション動作をさせるための付勢力を与える付勢片部とを備え、
前記付勢片部は、前記可動片部が前記ランプ口金の先端端子により押圧されていないときは該可動片部をソケット開口側に付勢し、前記可動片部が前記ランプ口金の先端端子により押圧されて回動することに伴い該付勢片部の姿勢が変化してデッドポイントを越えたときスナップアクション動作により該可動片部を前記固定接点部材側に付勢し、この付勢力により可動片部を固定接点部材に向けて回動させ衝突させることを特徴とするランプソケット。
【請求項２】
前記接点板ばね部材における付勢片部は、前記可動片部の先端部から二又状に分岐して、前記支点部方向に伸びてその端部がソケット本体に係止されており、前記可動片部をソケット本体の開口側に付勢しているときは、ソケット本体の開口側とは反対側に凸状に湾曲しており、スナップアクション動作後に前記可動片部を前記固定接点部材側に付勢しているときは、該ソケット本体の開口側に凸状に湾曲していることを特徴とする請求項１に記載のランプソケット。
【発明の詳細な説明】
【技術分野】
【０００１】
本発明は、ランプの締め込み接触を音で確認できるようにするランプソケットに関する。
【背景技術】
【０００２】
従来の、この種のランプソケットとして、着脱自在に装着されるランプのランプ口金を保持するソケット本体に、ランプ口金を回転係合させ、ランプ口金がソケット本体に正規の状態で装着されたときに、係合による衝撃音を発してランプの締め込み完了を知らせるものが知られている（特許文献１参照）。
【０００３】
しかしながら、上記特許文献１に示されるランプソケットは、複数のピン端子を有するピン端子式口金を備えた片口金蛍光ランプ用のランプソケットであって、白熱灯や電球形蛍光ランプのようなねじ込み式口金（Ｅ型口金と言う）を有する片口金ランプに対応するものではない。従って、ねじ込み式口金のランプに対し、そのランプ口金の先端部及び外周面とそれぞれ接触する固定接点及び受け金とを有する通常のねじ込みソケット（Ｅベースソケットと言う）では、通電前に装着されたランプが確実に締め込まれているかどうかを確認することができず、白熱灯や電球形蛍光ランプが不完全な装着になることがあった。
【先行技術文献】
【特許文献】
【０００４】
【特許文献１】特開平９−１８５９７８号公報
【発明の概要】
【発明が解決しようとする課題】
【０００５】
本発明は、上記の問題を解決するものであり、ねじ込み式口金を有するランプの締め込み完了を音により確認することを可能し、ランプをソケット本体に確実に装着することができるランプソケットを提供することを目的とする。
【課題を解決するための手段】
【０００６】
上記目的を達成するために請求項１の発明は、ソケット本体と、ランプ口金がソケット本体の開口より挿入され回転されることにより係合される受け金と、前記ランプ口金が前記受け金に係合されたとき該ランプ口金の先端端子が押圧して接触される接点と、を備えたランプソケットにおいて、前記接点は、ランプ口金の先端端子と接触される接点板ばね部材と、この接点板ばね部材と接触される固定接点部材とを備え、前記接点板ばね部材は、ソケット本体に固定された支点部と、前記ランプ口金の先端端子の押圧により回動される可動片部と、この可動片部の先端部とソケット本体側との間に湾曲した状態で配設されて該可動片部の回動時にスナップアクション動作をさせるための付勢力を与える付勢片部とを備え、前記付勢片部は、前記可動片部が前記ランプ口金の先端端子により押圧されていないときは該可動片部をソケット開口側に付勢し、前記可動片部が前記ランプ口金の先端端子により押圧されて回動することに伴い該付勢片部の姿勢が変化してデッドポイントを越えたときスナップアクション動作により該可動片部を前記固定接点部材側に付勢し、この付勢力により可動片部を固定接点部材に向けて回動させ衝突させるものである。
【０００７】
請求項２の発明は、請求項１に記載のランプソケットにおいて、前記接点板ばね部材における付勢片部は、前記可動片部の先端部から二又状に分岐して、前記支点部方向に伸びてその端部がソケット本体に係止されており、前記可動片部をソケット本体の開口側に付勢しているときは、ソケット本体の開口側とは反対側に凸状に湾曲しており、スナップアクション動作後に前記可動片部を前記固定接点部材側に付勢しているときは、該ソケット本体の開口側に凸状に湾曲しているものである。
【発明の効果】
【０００８】
請求項１の発明によれば、ランプ口金を受け金に回転係合させたとき、接点板バネ部材の付勢片部がスナップアクション動作をして、可動片部を固定接点部材に衝突させるので、その衝撃による接触音を発生させることができる。このため、ねじ込み式ランプにおけるランプ口金の締め込みの確実な完了を確認することができる。
【０００９】
請求項２の発明によれば、接点板ばね部材の付勢片部によるスナップアクション動作の付勢力を強くでき、従って、可動片部と固定接点部材との接触音を大きくすることができ、ランプ口金の締め込み完了を感知し易くなる。
【図面の簡単な説明】
【００１０】
【図１】本発明の一実施形態に係るランプソケットの斜視図。
【図２】同ランプソケットの断面図。
【図３】同ランプソケットの開口側からみた平面図。
【図４】同ランプソケットの接点板ばね部材の斜視図。
【図５】同ランプソケットへのランプの挿入状態における断面図。
【図６】同ランプソケットにおけるランプ先端端子と接点板ばね部材との接触初期の状態を示す図。
【図７】上記接点板ばね部材の回動途上の状態を示す図。
【図８】上記接点板ばね部材の回動後の状態を示す図。
【発明を実施するための形態】
【００１１】
以下、本発明の一実施形態に係るランプソケットについて、図面を参照して説明する。図１に示されるように、ランプソケット１は、ねじ込み式のランプ２０のランプ口金２１が締め込みにより装着されるものである。
【００１２】
図２乃至図５に示されるように、ランプソケット１は、ランプ口金２１が挿入される開口３を有する絶縁性材料から成る円筒形の筺体としてのソケット本体２と、ソケット本体２内に設けられ、ランプ口金２１が回転係合される受け金４と、接点を構成する、接点板ばね部材５と、この接点板ばね部材５と接触される固定接点部材６とを備える。
【００１３】
接点板ばね部材５は、図４に示されるように、ソケット本体２に設けられた固定台７に固定される支点部５１と、ランプ口金２１の先端端子２２の押圧により回動されるＴ字形状の可動片部５２と、その先端部５３から二又状に分岐してＵ字形状に形成される付勢片部５４とを備える。ここでは、付勢片部５４の長さは、可動片部５２の長さより短くなっている。この付勢片部５４は、ソケット本体２に装着された状態では円弧状に湾曲されて配設される。
【００１４】
可動片部５２は、支点部５１と先端部５３間の略中央部付近に可動接点（接点）Ａを、先端部５３の固定接点部材６に対向する裏面側に可動接点（接点）Ｂを、それぞれ有する。可動接点Ａはランプ口金２１の先端端子２２と接触して押圧される。可動接点Ｂは可動片部５２が先端端子２２により押圧され回動されることにより、固定接点部材６と接触される。
【００１５】
付勢片部５４は、二又状に分岐された２つのばね片が支点部５１方向に伸びてその端部５５がソケット本体２の固定台７に支持固定されており、可動片部５２の先端部５３と固定台７側との間で湾曲された円弧状を成している。付勢片部５４はこの湾曲された状態においては、圧縮変形されており、その圧縮変形による弾性的な付勢力が蓄積された状態にあり、この蓄積された付勢力により可動片部５２を付勢する。
【００１６】
このとき、付勢片部５４の円弧の向きによって可動片部５２に付勢される方向が変化する。例えば、ランプ口金２１からの外圧のない状態においては、付勢片部５４は、ソケット本体２の開口３側とは反対側に凸状に湾曲されており、可動片部５２をソケット本体２の開口３側に付勢し、可動片部５２は支点部５１から先端部５３に向けて開口３方向に高くなる傾斜を成して押し上げられる。また、この湾曲が反転されソケット本体２の開口３側に凸状に湾曲しているときは、可動片部５２を固定接点部材６側に付勢する。
【００１７】
この付勢片部５４による付勢方向の反転は、可動片部５２に外圧としてランプ口金２１の先端端子２２からの圧力が加わってその姿勢が大きく変化したときに、付勢片部５４が変形してその付勢方向を瞬時に変えるスナップアクション動作により行われる。
【００１８】
固定接点部材６は、受け金４と共にランプ２０に電源供給する電極端子を成す。この固定接点部材６は、ソケット本体２の底部に固定されたばね部材からなり、一端側がソケット本体２の内底面に固定され、他端側が該内底面から持ち上げられて可動片部５２と接触される固定接点（接点）Ｃとなっている。この固定接点部材６の固定接点Ｃの高さは、付勢片部５４のスナップアクション動作時に、下方に回動される可動片部５２における可動接点Ｂの該内底面からの高さより高く設定されている。
【００１９】
固定台７は、ソケット本体２の内底面に平面視コの字型に立設され、接点板ばね部材５の支点部５１がねじ止め等で固定されると共に、付勢片部５４の端部５５を支持固定するための係止溝を有している。
【００２０】
上記のように構成されたランプソケット１において、ランプ口金２１の先端端子２２の押圧による接点板ばね部材５の動作について図５乃至図８を参照して説明する。図５は、ソケット本体２へランプ２０が挿入される状態を示し、図６乃至図８は、ランプ口金２１締め込み時に該ランプ口金２１の先端端子２２により押圧されることによる接点板ばね部材５の回動変化を示す。
【００２１】
図５に示すように、ランプ口金２１の先端端子２２が接点板ばね部材５を押圧していないときは、接点板ばね部材５の可動片部５２は付勢片部５４によりソケット本体２の開口３側に付勢されている。
【００２２】
この状態からランプ２０のランプ口金２１を回転させてソケット本体２に締め込んでいくと、図６に示すように、ランプ口金２１の先端端子２２が可動片部５２の可動接点Ａに接触し、押圧し始める。
【００２３】
引き続き、ランプ口金２１がソケット本体２に締め込まれていくと、図７に示すように、可動片部５２はランプ口金２１の先端端子２２により押圧されて、ソケット本体２の開口３側と反対側の回動されることに伴い、固定接点部材６側に接近させられる。このとき、付勢片部５４は、その端部５５が支持固定されているので、可動片部５２の回動によりその凹型円弧が圧縮変形される圧力を受けるが、この時点では、まだ開口３側への付勢力が強いので、円弧形状は変化しない。
【００２４】
さらに、ランプ口金２１がソケット本体２に深く締め込まれると、図８に示すように、ランプ口金２１の先端端子２２により可動片部５２が一層強く押圧されることに伴い、可動片部５２が下方に大きく回動され、この回動により付勢片部５４はますます変形圧縮される。こうして、可動片部５２の引張りバネ力と、付勢片部５４の圧縮バネ力とのそれまでのバランスが保たれなくなったとき、付勢片部５４は継続して同じ姿勢を維持し得なくなるデッドポイントを越えて、円弧姿勢がソケット本体２の開口３に対して凹型から凸型に一気に変化するスナップアクション動作が発生する。
【００２５】
このスナップアクション動作は、該動作後も可動片部５２がランプ口金２１の先端端子２２と離れず継続して接触が保たれるように、可動片部５２がランプ口金２１の先端端子２２により十分押し込まれ時点で動作する。
【００２６】
このスナップアクション動作により、付勢片部５４による可動片部５２への付勢方向がソケット本体２の開口３側から固定接点部材６側に瞬時に逆転され、この付勢力により可動片部５２が開口３側と反対の固定接点部材６に向けて回動され、可動片部５２の可動接点Ｂが固定接点部材６の固定接点Ｃに衝突する。このとき、接触の衝撃により接触音が発生する。それらの接点の衝突強度は接触音が作業者により感知されるレベルとなるように設計される。
【００２７】
このように、本実施形態のランプソケット１によれば、ねじ込み式のランプ口金２１の先端端子２２からの押圧による付勢片部５４のスナップアクション動作により、可動片部５２を固定接点部材６に一気に衝突させ接触させることができる。これにより、ランプ口金２１の先端端子２２と固定接点部材６とが閉回路となり、ランプ点灯可能状態になると同時に、その衝撃により発生する接触音により、作業者はランプ口金２１の確実な締め込み完了を確認することができる。即ち、白熱灯や電球形蛍光ランプと同様のねじ込み式口金を有するランプの締め込み完了を音により確認することを可能し、ランプのソケットへの確実な装着を確認することができる。
【００２８】
また、付勢片部５４は二又状に分岐された２つのばね片となっているので、接点板ばね部材５の付勢片部５４によるスナップアクション動作の付勢力を強くでき、従って、付勢片部５４と固定接点部材６との接触音を大きくすることができ、ランプ口金２１の締め込み完了を感知し易くなる。
【００２９】
また、ランプ口金２１などのランプ２０側における構成変更を必要とせず、接点板ばね部材５を追加するなどソケット本体２側だけの変更でよいので、通常のねじ込み式ランプに対してほぼ全てに適用することができ、汎用性が高い。
【００３０】
また、上記実施形態では、接点板ばね部材５の可動片部５２を支点部５１から先端部５３まで略直線としたが、可動片部５２をランプ口金２１の押圧によるスナップアクション動作を起こさない範囲で開口３に向けて凸状に曲げ、その中央部の頂点付近を先端端子２２との可動接点Ａとし、可動片部５２の先端部５３の可動接点Ｂを予め固定接点部材６に近付けておくことにより、付勢片部５４のスナップアクション動作時に接点板ばね部材５を速く固定接点部材６に接触させることができる。また、可動片部５２と付勢片部５４とのばね強度は、ばね板の幅や厚み等により変えることができる。
【００３１】
なお、本発明は上記実施形態の構成に限定されるものではなく、発明の趣旨を変更しない範囲で適宜に種々の変形が可能である。例えば、上記実施形態においては、付勢片部５４は、２本のばねで構成される場合を示したが、１本でも３本以上であってもよい。また、接点板ばね部材５における可動片部５２と付勢片部５４との形状は、Ｔ字状やＵ字状以外でもよく、可動片部５２と付勢片部５４とを異なる弾性部材で構成してもよい。
【符号の説明】
【００３２】
１  ランプソケット
２  ソケット本体
３  ソケット開口
４  受け金
５  接点板バネ部材
５１  支点部
５２  可動片部
５３  先端部
５４  付勢片部
６  固定接点部材
２０  ランプ
２１  ランプ口金
２２  先端端子
Ａ、Ｂ  可動接点（接点）
Ｃ  固定接点（接点）
【図１】
2010176921.tif 000003
【図２】
2010176921.tif 000004
【図３】
2010176921.tif 000005
【図４】
2010176921.tif 000006
【図５】
2010176921.tif 000007
【図６】
2010176921.tif 000008
【図７】
2010176921.tif 000009
【図８】
2010176921.tif 000010